(57)【特許請求の範囲】
【請求項１】
複数の接触子を囲む導電性のシェルを有するコネクタと、
前記コネクタが固定されると共に前記シェルと電気的に接続されるアース回路を少なくとも有するプリント配線基板と、
前記プリント配線基板を係合手段により保持する基板ホルダと、を備え、
前記シェルには、電子機器の筐体の導電性部位に接触されると共に取付ねじが挿通される第１の挿通孔を有する取付片を設け、
前記係合手段は、
前記取付片と反対側に突出するよう前記プリント配線基板に設けた係合片と、
前記基板ホルダに設けられ且つ前記係合片が挿入される係合穴を有する第１の係合部と、
前記基板ホルダに設けられ且つ前記プリント配線基板の前記係合片と反対側の縁部を保持する第２の係合部を有し、
前記筐体の前記取付ねじが挿通される第２の挿通孔と前記第１の挿通孔に挿通された前記取付ねじを前記基板ホルダのねじ孔に螺合させて締め付けることにより前記コネクタを前記筐体に固定可能とした
電子機器のコネクタ装置。
【請求項２】
前記シェルの前記取付片と前記プリント配線基板の前記縁部との間に、前記基板ホルダの前記第２の係合部が挿入される空間部を設け、
前記取付ねじの締め込みにより前記第２の係合部と前記筐体の導電性部位との間で前記取付片を挟持するようにした
請求項１記載の電子機器のコネクタ装置。
【発明の詳細な説明】
【技術分野】
【０００１】
本発明は、周辺装置や別の電子機器等と電気的に接続するためのコネクタを備えた電子機器に関し、特に、コネクタがＨＤＭＩ(High-Definition Multimedia Interface)等のようにアース（ＧＮＤ）の強化やハーネスを短くすることが必要とされるコネクタを備えた電子機器に用いて好適な電子機器のコネクタ装置に関するものである。
【背景技術】
【０００２】
従来の、この種の電子機器のコネクタ装置としては、例えば、特許文献１に記載されているようなものがある。特許文献１には、電子機器の外部コネクタ保持構造に関するものが記載されている。この特許文献１に記載された電子機器の外部コネクタ保持構造は、「電子機器の外筐と、該外筐内に配設されたプリント基板と、該プリント基板に配設され、先端部が外筐に穿設された挿通孔から露出された外部コネクタと、外筐に対して着脱自在にされた外筐の一部であって、前記外部コネクタ先端部を露出させるための挿通孔部位において分割され、外筐に取着された時に前記外部コネクタを前後方向において保持する保持部を設けた外部コネクタ保持部材とから成る」ことを特徴としている。
【０００３】
このような構成を有する電子機器の外部コネクタ保持構造によれば、「外部コネクタへのプラグの着脱時に外部コネクタとプリント基板との取付部にかかる力をコネクタ保持部材にて受けることができ、外部コネクタとプリント基板との取付部にかかる負担を削減し、取付部のガタ、外部コネクタの離脱、破損及び回路パターンの剥離といった事故の発生を防止することができる。」という効果が期待される。
【０００４】
しかしながら、特許文献１に開示された従来の電子機器のコネクタ装置においては、コネクタが半田付けされたプリント配線基板を板金製の取付ブラケットに固定し、その取付ブラケットを電子機器の筐体にねじ止めする構成となっていた。そのため、コネクタ自体が直接に板金製の筐体や部品に接触する構成となっていないことから、アース（ＧＮＤ）用の配線を別に設ける必要があり、その電子機器のアースが弱いものになっていた。
【０００５】
また、一般に、この種の電子機器のコネクタ装置取付方法では、コネクタとこれと電気的に接続される制御装置や電子装置等を予め筐体等に固定した後、そのコネクタが半田付けされたプリント配線基板から引き出されたフレキシブル配線板の端子部を制御装置等の接続部に接続する作業が必要である。そのため、組立時の最終工程として端子部を接続部に接続する作業が容易に行えるようにするには、端子部の長さを十分に大きく確保しておく必要がある。その結果、ケーブルが長くなることによって通信特性が不安定になるおそれがあった。
【０００６】
特に、近年では、電気特性の向上（不要輻射の除去）、通信特性の安定化の要請により、ＨＭＤＩ(High-Definition Multimedia Interface)と呼ばれるコネクタが使用されるようになってきた。このＨＭＤＩは、デジタル映像インタフェースのデファクトスタンダードであるＴＭＤＳ(Transition Minimized Differential Signaling)ベースで構築されたディスプレイ接続技術のＤＶＩ(Digital Visual Interface)を、ＡＶ(Audio Visual)向けに仕様をアレンジしたものであり、日立製作所、松下電器産業、Philips、ソニー、Thomson Multimedia及び東芝の６社と、高速シリアル伝送用半導体メーカーのSilicon Image社が策定した次世代テレビ向けのインタフェース規格である。
【０００７】
従来から、ＰＣ(Personal Computer)とディスプレイの接続にはＤＶＩデジタル接続規格が存在しているが、ＨＭＤＩは、このＤＶＩを更に発展させたものである。今まで機器間の接続には、ビデオ、オーディオ、コントロールの各信号用に複数のケーブルの使用が余儀なくされていたが、このＨＭＤＩを用いることによってケーブル１本で接続が済むことになる。また、コントロール信号は双方向の伝送に対応しているため、モニタからＨＤＭＩで接続されたＳＴＢ(Set-top Box)や、ＤＶＤプレーヤのような機器にコントロール信号を中継することで、一つのリモコンでホームシアター全体の機器を操作することが可能となる。
【０００８】
このＨＭＤＩは、他のコネクタに比べて、電気特性の向上と通信特性の安定化が不可欠であり、そのためには、アース（ＧＮＤ）機能の強化や、接続ケーブル（結線）の長さを短くすることが必要となる。
【特許文献１】実公平６−３８５３６号（実開平２−３０６７８号）公報
【発明の開示】
【発明が解決しようとする課題】
【０００９】
解決しようとする問題点は、従来の電子機器のコネクタ装置においては、コネクタ自体が直接に板金製の筐体や部品に接触する構成となっておらず、アース（ＧＮＤ）用の配線を別に設ける必要があったため、その電子機器のアース（ＧＮＤ）機能が弱いものになっていた。また、コネクタと制御装置や電子装置等を予め筐体等に固定した後、そのコネクタが半田付けされたプリント配線基板から引き出されたフレキシブル配線板の端子部を制御装置等の接続部に接続する作業が必要であったため、端子部の長さを十分に大きく確保しておく必要があり、その結果通信特性が不安定になるおそれがある、という点である。
【課題を解決するための手段】
【００１０】
本出願の電子機器のコネクタ装置は、複数の接触子を囲む導電性のシェルを有するコネクタと、コネクタが固定されると共にシェルと電気的に接続されるアース回路を少なくとも有するプリント配線基板と、プリント配線基板を係合手段により保持する基板ホルダと、を備えている。シェルには、電子機器の筐体の導電性部位に接触されると共に取付ねじが挿通される第１の挿通孔を有する取付片を設け、係合手段は、取付片と反対側に突出するようプリント配線基板に設けた係合片と、基板ホルダに設けられ且つ係合片が挿入される係合穴を有する第１の係合部と、基板ホルダに設けられ且つプリント配線基板の係合片と反対側の縁部を保持する第２の係合部を有している。筐体の取付ねじが挿通される第２の挿通孔と第１の挿通孔に挿通された取付ねじを基板ホルダのねじ孔に螺合させて締め付けることによりコネクタを筐体に固定可能とした。
【発明の効果】
【００１２】
本出願の電子機器のコネクタ装置及びコネクタ装置取付方法によれば、コネクタの導電性のシェルを電子機器の筐体の導電性部位に直接接触させて取付ねじで締め付けて固定するため、アース（ＧＮＤ）の強化と接続配線の短縮化を図り、電気特性の向上（不要輻射の除去）と通信特性の安定化を図ることができる。
【発明を実施するための最良の形態】
【００１３】
コネクタのシェルに取付片を設け、筐体の第２の挿通孔と取付片の第１の挿通孔に挿通された取付ねじを基板ホルダのねじ孔に螺合させて締結することにより、シェルを電子機器の筐体の導電性部位に直接接触させてコネクタを取り付けることができ、電気特性の向上と通信特性の安定化に優れた電子機器のコネクタ装置及びコネクタ装置取付方法を、簡単な構成によって実現した。
【００１４】
図１〜図１２は、本発明の実施の形態の例を示すものである。即ち、図１は本発明の電子機器の第１の実施の例を示すデジタルビデオカメラを正面側から見た斜視図、図２は表示装置を開いたデジタルビデオカメラを背面側から見た斜視図、図３はデジタルビデオカメラの左側面図、図４は接続部カバーを取り外したデジタルビデオカメラの要部説明図、図５及び図６はコネクタ等の取付状態を示す説明図、図７はコネクタと第１のプリント配線基板と基板ホルダの一部を示す組立説明図、図８は２つの端子と第２のプリント配線基板と基板ホルダの一部を示す組立説明図、図９は基板ホルダの第１の保持部を示す説明図、図１０はコネクタと第１のプリント配線基板を示す組立説明図、図１１はコネクタの取付部を正面から見た説明図、図１２は図１１のＸ−Ｘ線断面図である。
【実施例１】
【００１５】
図１〜図３は、本発明が適用された電子機器の一具体例を示す撮像装置の第１の実施例として示すデジタルビデオカメラ１である。このデジタルビデオカメラ１は、２種類の情報記憶媒体を用いて、それぞれの情報記憶媒体に対して選択的に情報信号を記録したり、記録された情報の再生を行うことができるようにしたものである。
【００１６】
このデジタルビデオカメラ１に使用されている２つの情報記憶媒体のうち、第１は、カセットケース内に磁気テープを収納したテープ状記憶媒体（例えば、テープカセット等）であり、第２は、プラスチックカードの中にＣＰＵ、メモリ等のＬＳＩを内蔵した半導体記憶媒体（例えば、メモリカード等）である。このデジタルビデオカメラ１は、これらの情報記憶媒体を選択的に用いて、光学的な画像を撮像手段の一具体例を示すＣＣＤ（固体撮像素子）で電気的な信号に変換して、その画像情報をテープ状記憶媒体や半導体記憶媒体に記録したり、液晶ディスプレイ等の平面パネルからなる表示装置に表示できるようにしている。
【００１７】
デジタルビデオカメラ１は、筐体装置本体の一具体例を示す外装ケース２と、この外装ケース２の内部に収納されると共に着脱自在に装着される第１の情報記憶媒体としてのテープカセットの磁気テープを走行駆動して情報信号の記録（書き込み）及び再生（読み出し）を行うテープドライブ装置（メカデッキ）と、このテープドライブ装置の駆動制御等を行う制御回路と、被写体の像を光として取り込んでＣＣＤに導くレンズ装置３と、外装ケース２に回動自在に取り付けられた表示装置４等を備えて構成されている。
【００１８】
図１〜図３に示すように、外装ケース２は、略筒型をなす中空の筐体からなり、軸方向を前後方向に設定したような状態で使用されている。この外装ケース２の前部に、略同様の太さを有するレンズ装置３が配設されている。レンズ装置３は、そのレンズ系の光軸を水平方向に向けた状態で外装ケース２に取り付けられている。この外装ケース２の内部において、レンズ装置３の後部にＣＣＤが取り付けられている。そして、レンズ装置３の後方にビューファインダ装置５が配置されている。
【００１９】
外装ケース２の上部には、ビデオライトや外付けマイクロホン等のアクセサリーが着脱自在に装着されるアクセサリーシューを露出させる開口部が設けられている。アクセサリーシューは、レンズ装置３の上方に配置されており、通常は、開口部を開閉するシューキャップ６によって着脱可能に覆われている。更に、外装ケース２の前面の下部には、ステレオ方式のマイクロホン７が内蔵されて設けられている。そして、レンズ装置３の前面の上部には、フラッシュ装置の発光部８が配置されている。
【００２０】
また、外装ケース２の一方の側面には、表示装置４が姿勢変更可能に取り付けられている。表示装置４は、平板状の液晶ディスプレイ等からなる平面パネル１１と、この平面パネル１１が収納されたパネルケース１２と、このパネルケース１２を外装ケース２に対して姿勢変更可能に支持するパネル支持部１３とから構成されている。パネルケース１２は、略直方体をなす偏平の筐体からなり、外装ケース２の一方の側面に対向する面には、平面パネル１１の表示面を露出させるための開口窓１５が設けられている。開口窓１５は、長手方向に延在された長方形の貫通穴からなり、この開口窓１５を囲う四辺が四角形の枠部分１２ａとなっている。このパネルケース１２の枠部分１２ａの、パネル支持部１３と反対側には、平面パネル１１を操作する複数の操作ボタン１６が配設されている。
【００２１】
パネル支持部１３は、垂直軸を回動中心としてパネルケース１２を水平方向に略９０度回動可能とした水平回動部と、水平軸を回動中心としてパネルケース１２を前後方向に略１８０度回動可能とすると共に、更に加えて上下方向へ略９０度回動可能として合計約２７０度回動可能とした前後回動部とを有している。これにより、表示装置４は、図２に示すようにパネルケース１２を水平方向へ９０度回動させて平面パネル１１を後方へ対向させた状態と、外装ケース２の側面に収納した収納状態と、図２に示す状態からパネルケース１２を１８０度回動させて平面パネル１１を前方へ対向させた状態と、平面パネル１１を後方へ対向させた状態から更に後方へ９０度回動させて平面パネル１１を下方へ向けた状態と、それらの中間位置の任意の状態（姿勢）を取ることができるようになっている。
【００２２】
この表示装置４によって開閉される外装ケース２の側面に、表示装置４の平面パネル１１側の一部を収納するために凹ませた収納用凹部１７が設けられている。図２に示すように、収納用凹部１７は、パネルケース１２の外形に見合う形状とされており、その略中央部に、記憶媒体収納部の記憶媒体挿入口１８と、外部の周辺装置と電気的に接続するためのＵＳＢコネクタ１９が設けられている。そして、記憶媒体挿入口１８の近傍に、内蔵されたスピーカ装置の音を放出するために複数の透孔２１が設けられている。
【００２３】
また、図１に示すように、外装ケース２の表示装置４と反対側の側面には、この外装ケース２を把持するための把持部２２が設けられている。この把持部２２は、その内部に収納された、図に現れないメカデッキのカバー部材を兼ねている。この把持部２２の上部を外側へ開くことにより、内蔵されたメカデッキのカセット挿入口が露出され、テープカセットの着脱操作が可能となっている。この把持部２２の開放動作は、把持部２２の上部に設けたロック解除ボタン２３を後方へスライド操作することによってロックが解除され、そのロック解除後に、手動操作（自動操作としてもよい。）で側方へ開くことにより、実行される。一方、把持部２２の閉鎖動作は、開放状態の把持部２２を内側へ押圧して所定位置まで押し込むことによって実行される。
【００２４】
この把持部２２の上部後方に、モード選択スイッチを兼ねる電源スイッチ２４と、静止画の撮影を行うシャッタボタン２５と、所定の範囲内で画像を連続的に拡大（テレ）又は縮小（ワイド）させるズームボタン２６が設けられている。電源スイッチ２４は、回動操作によって電源をオン・オフ切り換える機能と、電源をオンした状態で回動操作することにより複数の機能モードを繰り返すように切り換える機能とを有している。この電源スイッチ２４の下方に、動画撮影を行う録画ボタン２７が設けられている。
【００２５】
更に、把持部２２の下部には、前後方向へ架け渡すようにハンドベルト２８が取り付けられ、そのハンドベルト２８にはハンドパッド２９が装着されている。ハンドベルト２８及びハンドパッド２９は、外装ケース２の把持部２２を握るユーザーの手を支え、デジタルビデオカメラ１の取り落とし等を防止するものである。
【００２６】
図２に示すように、外装ケース２の背面には、携帯用電源であるバッテリー装置が着脱可能に装着されるバッテリー収納部３１が設けられている。このバッテリー収納部３１は、外装ケース２の背面において、その中央部から下面にかけて連続する凹部として構成されている。このバッテリー収納部３１の上方に、半月形のドーム状とされたビューファインダ装置５が配置されている。
【００２７】
また、図１及び図３に示すように、外装ケース２の把持部２２の前部には、このデジタルビデオカメラ１を周辺機器や別の電子機器等と電気的に接続するためのコネクタや端子が配置されたコネクタ収納部３３が設けられている。コネクタ収納部３３は、上下方向に細長い領域とされた平面部からなり、その平面部に３つのコネクタ等が上下方向に適宜な間隔をあけて配置されている。このコネクタ収納部３３は、外装ケース２に着脱可能に装着される収納部カバー３４によって開閉可能とされている。収納部カバー３４の表面は、把持部２２の表面に連続する曲面とされている。
【００２８】
３つのコネクタ等は、この実施例では、最下部に配置されたＨＤＭＩ用コネクタ３５と、中間部に配置されたＩＥＥＥ１３９４規格の入出力端子３６と、最上部に配置されたリモートコントロール用端子３７が適用されている。この３つのコネクタ３５及び端子３６，３７は、２枚のプリント配線基板３８，３９を介して基板ホルダ４１に保持されている。この基板ホルダ４１に保持された状態で３つのコネクタ等が、外装ケース２の前側側部の内側に配設されている。
【００２９】
ＨＤＭＩ用コネクタ３５は、図７及び図１０に示すように、複数の接触子を囲むシェル４２を備えている。ＨＤＭＩ用コネクタ３５のシェル４２は、断面形状が略Ｄ字形をなす筒体形状とされており、この筒体の一端に、互いに離反するように外側へ突出する一対の取付片４２ａ，４２ｂが設けられている。各取付片４２ａ，４２ｂには、取付ねじのねじ軸部が挿通される挿通孔４４がそれぞれ設けられている。このシェル４２は、導電性に優れ且つ適度な強度を有すると共に半田付けの可能な鉄鋼や銅合金その他の金属材料によって形成されている。
【００３０】
このシェル４２によって囲われたＨＤＭＩ用コネクタ３５の複数の端子は、第１のフレキシブル配線板４５のコネクタ取付部４５ａに設けた所定の配線パターンと電気的に接続されている。図１０に示すように、第１のフレキシブル配線板４５のコネクタ取付部４５ａには、同様の形状を有する第１のプリント配線基板３８が積層され、接着剤等の固着手段により一体的に固定されて基板積層体４７が構成されている。この基板積層体４７のコネクタ取付部４５ａ側にシェル４２が実装されており、複数箇所において半田４８により接合されてシェル４２が第１の基板積層体４７と一体的に構成されている。
【００３１】
更に、第１の基板積層体４７には、ＨＤＭＩ用コネクタ３５の長手方向に所定の間隔をあけて一対の位置決め穴４９ａ，４９ｂが設けられている。ＨＤＭＩ用コネクタ３５は、第１の基板積層体４７の一辺から外側へ少し突出するように配置されており、その第１の基板積層体４７の外縁部とシェル４２の一対の取付片４２ａ，４２ｂとの間に、基板ホルダ４１の後述する係合部を差し込むことができる隙間が形成されている。この第１の基板積層体４７の、ＨＤＭＩ用コネクタ３５と反対側の辺の両端部には、その反対側に突出する一対の係合片５１ａ，５１ｂが設けられている。このＨＤＭＩ用コネクタ３５の実装された第１の基板積層体４７が、図７に示すように、基板ホルダ４１に保持されて仮固定される。
【００３２】
基板ホルダ４１は、図７〜図９に示すように、第１の基板積層体４７を介してＨＤＭＩ用コネクタ３５を保持するための第１の保持部４１ａと、２つの端子３６，３７を保持する第２の基板積層体５２を介して２個の端子３６，３７を保持するための第２の保持部４１ｂを有している。第１の保持部４１ａは、短冊状に形成された支持部５３ａと、この支持部５３ａの長手方向の両端において幅方向の一側に突出した一対の第１の係合部５３ｂ，５３ｂと、同じく支持部５３ａの長手方向の両端において幅方向の他側に突出した一対の第２の係合部５３ｃ，５３ｃとを有している。第１及び第２の係合部５３ｂ，５３ｃの先部は、それぞれ９０度折り曲げることによって同一方向へ突出されている。
【００３３】
更に、一対の第１の係合部５３ｂ，５３ｂの各折り曲げ部分には、第１の基板積層体４７の一対の係合片５１ａ，５１ｂを支持部５３ａの面方向から挿入可能な係合穴５４，５４がそれぞれ設けられている。また、一対の第２の係合部５３ｃ，５３ｃの各先部に設けた折り曲げ部５３ｄ，５３ｄには、シェル４２をねじ止めするための取付ねじ５５のねじ軸部が螺合されるねじ孔５６がそれぞれ設けられている。そして、各折り曲げ部５３ｄ，５３ｄの先端には、第１の基板積層体４７の脱落を防止するための係止爪５３ｅがそれぞれ設けられている。更に、支持部５３ａには、第１及び第２の係合部５３ｂ，５３ｃと同方向に突出する一対の位置決めピン５７ａ，５７ｂが、長手方向へ所定の間隔をあけて設けられている。
【００３４】
図８に示すように、第２の保持部４１ｂは、短冊状に形成された取付部５８ａと、この取付部５８ａの長手方向の両端において幅方向の一側に突出した第１及び第２の取付片５８ｂ，５８ｃと、取付部５８ａの長手方向の一端において幅方向の他側に突出した第３の取付片５８ｄとを有している。第１の取付片５８ｂの先部は９０度に折り曲げられ、また、第２の取付片５８ｃの先部はクランク状に折り曲げられており、それぞれの先部にはねじ孔がそれぞれ設けられている。更に、取付部５８ａには、第２の取付片５８ｃと同方向に突出する一対の位置決めピン５９ａ，５９ｂが、長手方向へ所定の間隔をあけて設けられている。
【００３５】
この第２の保持部４１ｂには、第２の基板積層体５２が２本の固定ねじ６１，６１によって締付固定されている。第２の基板積層体５２は、第２のフレキシブル配線板６２の端子取付部６２ａと、これに積層された同様の形状を有する第２のプリント配線基板３９からなり、接着剤等の固着手段により固定されて一体的に構成されている。この第２の基板積層体５２のプリント配線基板６３側の面に、入出力端子３６とリモートコントロール用端子３７が横並びに所定の間隔をあけて固定されている。第２の基板積層体５２には、所定の間隔をあけて一対の位置決め穴が設けられている。この一対の位置決め穴に一対の位置決めピン５９ａ，５９ｂを嵌合させて位置決めした状態で、第２の基板積層体５２が第２の保持部４１ｂに着脱可能に取り付けられている。
【００３６】
第１の保持部４１ａの支持部５３ａと第２の保持部４１ｂの取付部５８ａは、両保持部４１ａ，４１ｂが横並びとなるように連続して形成されている。このような構成を有する基板ホルダ４１に対して、２つの端子３６，３７が固定された第２の基板積層体５２は、上述したように２個の固定ねじ６１で第２の保持部４１ｂに直接ねじ止めされているが、コネクタ３５が固定された第１の基板積層体４７は、ねじ止めされること無く、次のようにして第１の保持部４１ａに係合保持されている。
【００３７】
次に、第１の基板積層体４７を第１の保持部４１ａに組み立てる工程を説明する。まず。第１の保持部４１ａの一対の第１の係合部５３ｂ，５３ｂの内側に第１の基板積層体４７の第１及び第２の係合片５１ａ，５１ｂを臨ませる。この状態から、２つの係合片５１ａ，５１ｂを、第１及び第２の係合片５１ａ，５１ｂの折り曲げ部に設けた係合穴５４，５４にそれぞれ挿入して係合させる。これと同時に又は連動させて第１の基板積層体４７を基板ホルダ４１に接近させ、コネクタ３５の一対の取付片４２ａ，４２ｂと第１の基板積層体４７の上端縁との間に設けた隙間に、第１の保持部４１ａの一対の第２の係合部５３ｃ、５３ｃの先部に設けた折り曲げ部５３ｄ，５３ｄをそれぞれ挿入する。
【００３８】
そして、第１の基板積層体４７の一面（コネクタ３５の実装面と反対側の面）が基板ホルダ４１に接触するまで差し込む。このとき、基板ホルダ４１に設けた一対の位置決めピン５７ａ，５７ｂに第１の基板積層体４７に設けた一対の位置決め穴４９ａ，４９ｂを嵌合させる。これにより、第１の基板積層体４７が、第１の保持部４１ａに対して仮固定の状態で保持される。この状態では、一対の取付片４２ａ，４２ｂと第１の基板積層体４７との間に一対の第２の係合部５３ｃ、５３ｃが介在され、一対の第２の係合部５３ｃ、５３ｃの外側に一対の取付片４２ａ，４２ｂが重ね合わされた状態で配置されている。このように、基板ホルダ４１に組み立てられたコネクタ３５を、その組立状態のまま外装ケース２の所定位置に配置する。このとき、コネクタ３５を有する第１の基板積層体４７は、ビス等で固定されてはおらず、いわゆる仮止めの状態となっている。
【００３９】
このコネクタ等に対応させて外装ケース２のコネクタ収納部３３には、図３等に示すように、下から順に、ＨＤＭＩ用コネクタ３５のための第１の開口穴６５と、入出力端子３６のための第２の開口穴６６と、リモートコントロール用端子３７のための第３の開口穴６７がそれぞれ開口されている。第２及び第３の開口穴６６，６７は、入出力端子３６及びリモートコントロール用端子３７の各接続部に見合う形状とされていて、組立時には、各端子の先端部が嵌合されるようになっている。また、第１の開口穴６５は、図１１に示すように、ＨＤＭＩ用コネクタ３５の接続側端部と対応する略長方形とされており、この第１の開口穴６５の後方にシェル４２の肉厚部が重なり合うようにしてＨＤＭＩ用コネクタ３５が配置されている。
【００４０】
このＨＤＭＩ用コネクタ３５等を所定位置に配置した状態が、図６に示す状態である。この状態において、第１のフレキシブル配線板４５及び第２のフレキシブル配線板６２の各接続端子を、メイン基板７０のコネクタ７１に接続させる。この第１のフレキシブル配線板４５の接続端子をメイン基板７０のコネクタ７１に接続した状態が、図５に示す状態である。この場合、第１の基板積層体４７が第１の保持部４１ａに対して仮止めされた状態にあって、ある程度の姿勢変化が可能であるため、接続端子までの長さが短い第１のフレキシブル配線板４５であっても、容易にメイン基板７０のコネクタ７１に接続することができる。
【００４１】
その後、取付ねじ５５によって基板ホルダ４１をねじ止めし、しっかりと締付固定（本止め）する。図１１及び図１２に示すように、外装ケース２の外側から螺合される２本の取付ねじ５５，５５によって基板ホルダ４１を締付固定する。これにより、コネクタ３５等が、基板ホルダ４１を介して外装ケース２に強固に取り付ける。なお、図示しないが、基板ホルダ４１にはアース線或いはアース板が接続されており、シェル４２に静電気等が付加されたときにも、その静電気等を迅速に流して、静電気等の影響がコネクタ３５の内部機器、機構等に与えられるのを防止することができる。
【００４２】
図４は、デジタルビデオカメラ１に設けたＨＭＤＩ用コネクタ３５に、これと対をなすプラグ８０を臨ませた状態を示すものである。プラグ８０は、コード８１を介して別の電子機器の一具体例を示す接続装置８２に接続されている。この接続装置８２は、ＨＭＤＩ用コネクタ３５に接続可能なプラグ８０の無い電子機器をデジタルビデオカメラ１と接続するために、その接続媒体として用いられるものである。この接続装置８２の、コード８１の引出し側と反対側に、種類の異なるプラグ８３が接続されるコネクタ８４が設けられている。
【００４３】
以上説明したように、本出願の電子機器のコネクタ装置によれば、ＨＭＤＩ等のコネクタを基板ホルダ（固定用フレーム）に仮止めし、その仮止め状態で外装ケース（筐体）に組み立てた後、そのコネクタに接続されたフレキシブル配線板の接続端子（ハーネス）をメイン基板のコネクタに接続するようにしたため、短いフレキシブル配線板であっても、容易に接続することができる。これにより、配線（ハーネス）の長さを短くして、電気特性の向上（不要輻射の除去）と通信特性の安定化を図ることができる。しかも、コネクタのシェルを直接基板ホルダに接触させる構成としたため、アース（ＧＮＤ）特性の強化を図ることができ、静電気等による悪影響の発生を防ぐことができる。
【００４４】
本発明は、前述しかつ図面に示した実施の形態に限定されるものではなく、その要旨を逸脱しない範囲内で種々の変形実施が可能である。例えば、前記実施例では、撮像装置の具体例としてデジタルビデオカメラに適用した例について説明したが、アナログビデオカメラに適用できることは勿論のこと、前述したようなコネクタを備えた電子機器であれば、電子スチルカメラ、パーソナルコンピュータ、電子辞書、携帯電話、テレビジョン、ステレオ装置、テープレコーダ、ラジオ、その他各種の電子機器に適用できるものである。
【００４５】
また、前記実施例においては、本発明に係るコネクタとしてＨＤＭＩを適用した例について説明したが、その他のコネクタの取付構造及び取付方法として適用できることは勿論である。また、コネクタの形状についても、前記実施例のものに限定されるものではなく、例えば、断面形状が四角形その他の形状であっても問題はない。更に、前記実施例では、シェル４２の両側に一対の取付片４２ａ，４２ｂを設けたが、取付片は１個であっても良く、また、３個以上であってもよいことは勿論である。
【図面の簡単な説明】
【００４６】
【図１】本発明の電子機器の第１の実施の例を示すデジタルビデオカメラを正面側から見た斜視図である。
【図２】本発明の電子機器の第１の実施の例を示すデジタルビデオカメラの表示装置を開いた状態を背面側から見た斜視図である。
【図３】本発明の電子機器の第１の実施の例を示すデジタルビデオカメラの左側面図である。
【図４】本発明の電子機器の第１の実施の例を示すデジタルビデオカメラの接続部カバーを取り外した要部の説明図である。
【図５】本発明の電子機器の第１の実施の例を示すデジタルビデオカメラの外装ケースの所定位置にコネクタ等を組み立てた状態の説明図である。
【図６】本発明の電子機器の第１の実施の例を示すデジタルビデオカメラの外装ケースに装着されたコネクタ等のフレキシブル配線板をメイン基板のコネクタに接続した状態の説明図である。
【図７】本発明の電子機器の第１の実施の例を示すデジタルビデオカメラのコネクタと第１のプリント配線基板と基板ホルダの一部を現した組立説明図である。
【図８】本発明の電子機器の第１の実施の例を示すデジタルビデオカメラの２つの端子と第２のプリント配線基板と基板ホルダの一部を現した組立説明図である。
【図９】本発明の電子機器の第１の実施の例を示すデジタルビデオカメラの基板ホルダの第１の保持部を現した説明図である。
【図１０】本発明の電子機器の第１の実施の例を示すデジタルビデオカメラのコネクタと第１のプリント配線基板を現した組立説明図である。
【図１１】本発明の電子機器の第１の実施の例を示すデジタルビデオカメラのコネクタの取付部を正面から見た説明図である。
【図１２】図１１のＸ−Ｘ線断面図である。
【符号の説明】
【００４７】
１…デジタルビデオカメラ（電子機器）、  ２…外装ケース（筐体）、  ３…レンズ装置、  ３３…コネクタ収納部、  ３４…収納部カバー、  ３５…ＨＤＭＩ用コネクタ、  ３８…第１のプリント配線基板、  ４１…基板ホルダ、  ４１ａ…第１の保持部、  ４２…シェル、  ４５…第１のフレキシブル配線板、  ４７…第１の基板積層体、  ４８…半田、  ５１ａ，５１ｂ…係合片、  ５３ａ…支持部、  ５３ｂ，５３ｃ…係合部、  ５３ｄ…折り曲げ部、  ５４…係合穴、  ５５…取付ねじ
【図１】
0004730119.tif 000002
【図２】
0004730119.tif 000003
【図３】
0004730119.tif 000004
【図４】
0004730119.tif 000005
【図５】
0004730119.tif 000006
【図６】
0004730119.tif 000007
【図７】
0004730119.tif 000008
【図８】
0004730119.tif 000009
【図９】
0004730119.tif 000010
【図１０】
0004730119.tif 000011
【図１１】
0004730119.tif 000012
【図１２】
0004730119.tif 000013